【手続補正書】
【提出日】平成28年3月14日(2016.3.14)
【手続補正１】
【補正対象書類名】特許請求の範囲
【補正対象項目名】全文
【補正方法】変更
【補正の内容】
【特許請求の範囲】
【請求項１】
アイコンバッジを生成する際に、アイコンの特徴情報を取得するステップと、
上記アイコンの特徴情報に基づいて、バッジの表示要素を特定するステップと、
上記アイコンの所定の位置に、上記表示要素を有する上記バッジを生成して表示するステップと
を含むことを特徴とするアイコンバッジ表示方法。
【請求項２】
上記アイコンの特徴情報を取得するステップは、
上記アイコンに対応するアプリケーションの種類を取得するステップ
を含み、
上記アイコンの特徴情報に基づいて、上記バッジの表示要素を特定するステップは、
所定のアプリケーションの種類と表示要素との対応関係に基づいて、上記アプリケーションの種類に対応する表示要素を特定するステップ
を含むことを特徴とする請求項１に記載のアイコンバッジ表示方法。
【請求項３】
上記アイコンの特徴情報を取得するステップは、
上記アイコンに対応するアプリケーションの優先度を取得するステップ
を含み、
上記アイコンの特徴情報に基づいて、上記バッジの表示要素を特定するステップは、
所定のアプリケーションの優先度と表示要素との対応関係に基づいて、上記アプリケーションの優先度に対応する表示要素を特定するステップ
を含むことを特徴とする請求項１に記載のアイコンバッジ表示方法。
【請求項４】
上記アイコンの特徴情報を取得するステップは、
上記アイコンの色特徴を取得するステップを含み、
上記アイコンの特徴情報に基づいて、バッジの表示要素を特定するステップは、
上記色特徴を上記バッジの背景色とするステップ、
及び／又は、
上記色特徴を上記バッジ内の文字色とするステップ
を含むことを特徴とする請求項１に記載のアイコンバッジ表示方法。
【請求項５】
上記アイコンの色特徴を取得するステップは、
上記アイコンの画像ファイルの全部の画素点の色値の中で出現回数が一番多い色値を取得して、出現回数が一番多い上記色値を上記アイコンの色特徴とするステップ、
又は、
上記アイコンの画像ファイルの全部の画素点の中の同系色の画素点の色値に対して平均値を取って、上記平均値を上記アイコンの色特徴とするステップ
を含むことを特徴とする請求項４に記載のアイコンバッジ表示方法。
【請求項６】
上記アイコンに対応するアプリケーションがアプリケーションフォルダである場合、上記アイコンの色特徴を取得するステップは、
上記アプリケーションフォルダ中の全部のアプリケーションアイコンの全部の画像ファイルを取得し、全部の画像ファイルの全部の画素点の色値の中で出現回数が一番多い色値を、上記アイコンの色特徴とするステップ、
又は、
上記アプリケーションフォルダ中の全部のアプリケーションアイコンの全部の画像ファイルを取得し、上記全部の画像ファイルの全部の画素点の中の同系色の画素点の色値に対して平均値を取って、上記平均値を上記アイコンの色特徴とするステップ
を含むことを特徴とする請求項４に記載のアイコンバッジ表示方法。
【請求項７】
上記アイコンの特徴情報に基づいて、上記バッジの表示要素を特定するステップは、
上記アイコンの特徴情報に基づいて、バッジの形状、バッジの背景色、バッジ内の文字色、及び、バッジ内の文字のフォントの中の一つ、又は、複数を特定するステップ
を含むことを特徴とする請求項１に記載のアイコンバッジ表示方法。
【請求項８】
アイコンの所定の位置に上記表示要素を有するバッジを生成して表示するステップは、
上記バッジに対して、バッジフレームを生成して表示するステップ
をさらに含むことを特徴とする請求項１に記載のアイコンバッジ表示方法。
【請求項９】
アイコンの特徴情報に基づいて、上記バッジの表示要素を特定するステップは、
上記アイコンの特徴情報に基づいて、バッジのフレーム色、バッジのフレーム幅、及び、バッジのフレーム形状の中の一つ、又は、複数を特定するステップ
をさらに含むことを特徴とする請求項８に記載のアイコンバッジ表示方法。
【請求項１０】
アイコンバッジを生成する際に、アイコンの特徴情報を取得するための取得モジュールと、
上記アイコンの特徴情報に基づいて、バッジの表示要素を特定するための特定モジュールと、
上記アイコンの所定の位置に、上記表示要素を有する上記バッジを生成して表示するための表示モジュールと
を備えることを特徴とするアイコンバッジ表示装置。
【請求項１１】
上記取得モジュールは、アイコンバッジを生成する際に、上記アイコンに対応するアプリケーションの種類を取得し、 
上記特定モジュールは、所定のアプリケーションの種類と表示要素との対応関係に基づいて、上記アプリケーションの種類に対応する表示要素を特定する
ことを特徴とする請求項１０に記載のアイコンバッジ表示装置。
【請求項１２】
上記取得モジュールは、アイコンバッジを生成する際に、上記アイコンに対応するアプリケーションの優先度を取得し、 
上記特定モジュールは、所定のアプリケーションの優先度と表示要素との対応関係に基づいて、上記アプリケーションの優先度に対応する表示要素を特定する
ことを特徴とする請求項１０に記載のアイコンバッジ表示装置。
【請求項１３】
上記取得モジュールは、アイコンバッジを生成する際に、上記アイコンの色特徴を取得し、 
上記特定モジュールは、
上記色特徴を上記バッジの背景色とするか、
及び／又は、
上記色特徴を上記バッジ内の文字色とする
ことを特徴とする請求項１０に記載のアイコンバッジ表示装置。
【請求項１４】
上記取得モジュールは、
アイコンバッジを生成する際に、上記アイコンの画像ファイルの全部の画素点の色値の中で出現回数が一番多い色値を取得して、出現回数が一番多い上記色値を上記アイコンの色特徴とするための第１色特徴取得サブモジュール、
又は、
アイコンバッジを生成する際に、上記アイコンの画像ファイルの全部の画素点の中の同系色の画素点の色値に対して平均値を取って、上記平均値を上記アイコンの色特徴とするための第２色特徴取得サブモジュール
を備えることを特徴とする請求項１３に記載のアイコンバッジ表示装置。
【請求項１５】
上記アイコンに対応するアプリケーションがアプリケーションフォルダである場合、上記取得モジュールは、
アイコンバッジを生成する際に、上記アプリケーションフォルダ中の全部のアプリケーションアイコンの全部の画像ファイルを取得するための第１画像取得サブモジュールと、
全部の画像ファイルの全部の画素点の色値の中で出現回数が一番多い色値を、上記アイコンの色特徴とするための第３色特徴取得サブモジュールと
を備えることを特徴とする請求項１３に記載のアイコンバッジ表示装置。
【請求項１６】
上記アイコンに対応するアプリケーションがアプリケーションフォルダである場合、上記取得モジュールは、
アイコンバッジを生成する際に、上記アプリケーションフォルダ中の全部のアプリケーションアイコンの全部の画像ファイルを取得するための第２画像取得サブモジュールと、
上記全部の画像ファイルの全部の画素点の中の同系色の画素点の色値に対して平均値を取って、上記平均値を上記アイコンの色特徴とするための第４色特徴取得サブモジュールと
を備えることを特徴とする請求項１３に記載のアイコンバッジ表示装置。
【請求項１７】
上記特定モジュールは、
上記アイコンの特徴情報に基づいて、バッジの形状、バッジの背景色、バッジ内の文字色、及び、バッジ内の文字のフォントの中の一つ、又は、複数を特定する
ことを特徴とする請求項１０に記載のアイコンバッジ表示装置。
【請求項１８】
上記表示モジュールは、さらに、
上記バッジに対して、バッジフレームを生成して表示する
ことを特徴とする請求項１７に記載のアイコンバッジ表示装置。
【請求項１９】
プロセッサと、
前記プロセッサが実行可能な命令を記憶するためのメモリと
を備え、
前記プロセッサは、
アイコンバッジを生成する際に、アイコンの特徴情報を取得し、
上記アイコンの特徴情報に基づいて、バッジの表示要素を特定し、
上記アイコンの所定の位置に、上記表示要素を有する上記バッジを生成して表示するように構成される
ことを特徴とするアイコンバッジ表示装置。
【請求項２０】
プロセッサに実行されることにより、請求項１から請求項９のいずれか１項に記載のアイコンバッジ表示方法を実現することを特徴とするプログラム。
【請求項２１】
請求項２０に記載のプログラムが記録された記録媒体。
【手続補正２】
【補正対象書類名】明細書
【補正対象項目名】全文
【補正方法】変更
【補正の内容】
【発明の詳細な説明】
【発明の名称】アイコンバッジ表示方法、装置、プログラム及び記録媒体
【技術分野】
【０００１】
本発明は、アイコン表示技術分野に関し、特に、アイコンバッジ表示方法、装置、プログラム及び記録媒体に関する。
【背景技術】
【０００２】
スマートフォンにおいて、アプリケーションにバッジメッセージがあると、デスクトップ上の上記アプリケーションの右上角に数字が付加されたバッジが表示される。このように、通知方法として、ユーザの注意を引く。
【０００３】
現在、Ａｎｄｒｏｉｄ（アンドロイド）（登録商標）及びｉＯＳ（アップル社の移動・オペレーティング・システム）システム（登録商標）において、あらゆるアプリケーションのバッジ色及びスタイルは、すべて、同一である。例えば、ｉＯＳシステムにおいて、バッジの色及びスタイルは、赤色のベースプレートが白色のフレームに囲まれ、ベースプレート上に白色の数字を表示するように、決められている。
【発明の概要】
【発明が解決しようとする課題】
【０００４】
本発明の実施例は、関連技術に存在する問題を解決するために、アイコンバッジを互いに異なるスタイルに従って表示するための、アプリケーションのバッジの表示方法、装置、プログラム及び記録媒体を提供する。
【課題を解決するための手段】
【０００５】
本発明の実施例に係る第１の態様によって、アイコンバッジ表示方法を提供する。
【０００６】
上記方法は、
アイコンバッジを生成する際に、上記アイコンの特徴情報を取得するステップと、
上記アイコンの特徴情報に基づいて、上記バッジの表示要素を特定するステップと、
上記アイコンの所定の位置に、上記表示要素を有する上記バッジを生成して表示するステップと
を含む。
【０００７】
一実施例において、
上記アイコンの特徴情報を取得するステップは、
上記アイコンに対応するアプリケーションの種類を取得するステップ
を含み、 
上記アイコンの特徴情報に基づいて、上記バッジの表示要素を特定するステップは、
所定のアプリケーションの種類と表示要素との対応関係に基づいて、上記アプリケーションの種類に対応する表示要素を特定するステップ
を含む。
【０００８】
一実施例において、
上記アイコンの特徴情報を取得するステップは、
上記アイコンに対応するアプリケーションの優先度を取得するステップ
を含み、 
上記アイコンの特徴情報に基づいて、上記バッジの表示要素を特定するステップは、
所定のアプリケーションの優先度と表示要素との対応関係に基づいて、上記アプリケーションの優先度に対応する表示要素を特定するステップ
を含む。
【０００９】
一実施例において、
上記アイコンの特徴情報を取得するステップは、
上記アイコンの色特徴を取得するステップ
を含み、
上記アイコンの特徴情報に基づいて、バッジの表示要素を特定するステップは、
上記色特徴を上記バッジの背景色とするステップ、
及び／又は、
上記色特徴を上記バッジ内の文字色とするステップ
を含む。
【００１０】
一実施例において、
上記アイコンの色特徴を取得するステップは、
上記アイコンの画像ファイルの全部の画素点の色値の中で出現回数が一番多い色値を取得して、出現回数が一番多い上記色値を上記アイコンの色特徴とするステップ、
又は、
上記アイコンの画像ファイルの全部の画素点の中の同系色の画素点の色値に対して平均値を取って、上記平均値を上記アイコンの色特徴とするステップ
を含む。
【００１１】
一実施例において、上記アイコンに対応するアプリケーションがアプリケーションフォルダである場合、上記アイコンの色特徴を取得するステップは、
上記アプリケーションフォルダ中の全部のアプリケーションアイコンの全部の画像ファイルを取得し、全部の画像ファイルの全部の画素点の色値の中で出現回数が一番多い色値を、上記アイコンの色特徴とするステップ、
又は、
上記アプリケーションフォルダ中の全部のアプリケーションアイコンの全部の画像ファイルを取得し、上記全部の画像ファイルの全部の画素点の中の同系色の画素点の色値に対して平均値を取って、上記平均値を上記アイコンの色特徴とするステップ
を含む。
【００１２】
一実施例において、上記アイコンの特徴情報に基づいて、上記バッジの表示要素を特定するステップは、
上記アイコンの特徴情報に基づいて、バッジの形状、バッジの背景色、バッジ内の文字色、及び、バッジ内の文字のフォントの中の一つ、又は、複数を特定するステップ
を含む。
【００１３】
一実施例において、アイコンの所定の位置に上記表示要素を有するバッジを生成して表示するステップは、
上記バッジに対して、バッジフレームを生成して表示するステップ
をさらに含む。
【００１４】
一実施例において、アイコンの特徴情報に基づいて、上記バッジの表示要素を特定するステップは、
上記アイコンの特徴情報に基づいて、バッジのフレーム色、バッジのフレーム幅、及び、バッジのフレーム形状の中の一つ、又は、複数を特定するステップ
をさらに含む。
【００１５】
本発明の実施例に係る第２の態様によって、アイコンバッジ表示装置を提供する。
【００１６】
上記装置は、
アイコンバッジを生成する際に、上記アイコンの特徴情報を取得するための取得モジュールと、
上記アイコンの特徴情報に基づいて、上記バッジの表示要素を特定するための特定モジュールと、
上記アイコンの所定の位置に、上記表示要素を有する上記バッジを生成して表示するための表示モジュールと
を備える。
【００１７】
一実施例において、
上記取得モジュールは、アイコンバッジを生成する際に、上記アイコンに対応するアプリケーションの種類を取得し、 
上記特定モジュールは、
所定のアプリケーションの種類と表示要素との対応関係に基づいて、上記アプリケーションの種類に対応する表示要素を特定する。
【００１８】
一実施例において、
上記取得モジュールは、アイコンバッジを生成する際に、上記アイコンに対応するアプリケーションの優先度を取得し、 
上記特定モジュールは、所定のアプリケーションの優先度と表示要素との対応関係に基づいて、上記アプリケーションの優先度に対応する表示要素を特定する。
【００１９】
一実施例において、
上記取得モジュールは、アイコンバッジを生成する際に、上記アイコンの色特徴を取得し、 
上記特定モジュールは、上記色特徴を上記バッジの背景色とするか、
及び／又は、
上記色特徴を上記バッジ内の文字色とする。
【００２０】
一実施例において、
上記取得モジュールは、
アイコンバッジを生成する際に、上記アイコンの画像ファイルの全部の画素点の色値の中で出現回数が一番多い色値を取得して、出現回数が一番多い上記色値を上記アイコンの色特徴とするための第１色特徴取得サブモジュール、
又は、
アイコンバッジを生成する際に、上記アイコンの画像ファイルの全部の画素点の中の同系色の画素点の色値に対して平均値を取って、上記平均値を上記アイコンの色特徴とするための第２色特徴取得サブモジュール
を備える。
【００２１】
一実施例において、
上記アイコンに対応するアプリケーションがアプリケーションフォルダである場合、
上記取得モジュールは、
アイコンバッジを生成する際に、上記アプリケーションフォルダ中の全部のアプリケーションアイコンの全部の画像ファイルを取得するための第１画像取得サブモジュールと、
全部の画像ファイルの全部の画素点の色値の中で出現回数が一番多い色値を、上記アイコンの色特徴とするための第３色特徴取得サブモジュールと
を備える。
【００２２】
一実施例において、
上記アイコンに対応するアプリケーションがアプリケーションフォルダである場合、
上記取得モジュールは、
アイコンバッジを生成する際に、上記アプリケーションフォルダ中の全部のアプリケーションアイコンの全部の画像ファイルを取得するための第２画像取得サブモジュールと、
上記全部の画像ファイルの全部の画素点の中の同系色の画素点の色値に対して平均値を取って、上記平均値を上記アイコンの色特徴とするための第４色特徴取得サブモジュールと
を備える。
【００２３】
一実施例において、
上記特定モジュールは、
上記アイコンの特徴情報に基づいて、バッジの形状、バッジの背景色、バッジ内の文字色、及び、バッジ内の文字のフォントの中の一つ、又は、複数を特定する。
【００２４】
一実施例において、
上記表示モジュールは、さらに、
上記バッジに対して、バッジフレームを生成して表示する。
【００２５】
本発明の実施例に係る第３の態様によって、アイコンバッジ表示装置を提供する。
【００２６】
上記装置は、
プロセッサと、
前記プロセッサが実行可能な命令を記憶するためのメモリと
を備え、
前記プロセッサは、
アイコンバッジを生成する際に、上記アイコンの特徴情報を取得し、
上記アイコンの特徴情報に基づいて、上記バッジの表示要素を特定し、
上記アイコンの所定の位置に、上記表示要素を有する上記バッジを生成して表示するように構成される。
本発明の実施例の第４の態様によって、プログラムを提供し、当該プログラムは、プロセッサに実行されることにより、上記のアイコンバッジ表示方法を実現する。
本発明の実施例の第５の態様によって、記録媒体を提供し、当該記録媒体には、上記プログラムが記録されている。
【発明の効果】
【００２７】
本発明の実施例が提供する構成の有益な効果は以下のとおりである。
【００２８】
上記の実施例によって、アイコンバッジを生成する際に、アイコンの特徴情報に基づいて、バッジの表示要素を特定し、また、アイコンの所定の位置に表示要素を有する上記バッジを生成して表示する。このようにして、アプリケーション毎に、互いに異なるスタイルに従ってアイコンバッジを表示できて、デスクトップにバッジが過度に多くなった場合のユーザの視覚疲労を緩和した。
【００２９】
以上の統括した記述と以下の詳細な記述は、ただ例示的なものであり、本発明を制限するものではないと、理解するべきである。
【図面の簡単な説明】
【００３０】
ここでの図面は、明細書に合併されて本明細書の一部を構成して本発明に合致する実施例を示し、明細書とともに本発明の原理を説明するために用いられる。
【００３１】
【図１】図１は、例示的な一実施例に係るアイコンバッジ表示方法を示すフローチャートである。
【図２】図２は、例示的な他の一実施例に係るアイコンバッジ表示方法を示すフローチャートである。
【図３】図３は、例示的な他の一実施例に係るアイコンバッジ表示方法を示すフローチャートである。
【図４】図４は、例示的な他の一実施例に係るアイコンバッジ表示方法を示すフローチャートである。
【図５】図５は、例示的な他の一実施例に係るアイコンバッジ表示方法を示すフローチャートである。
【図６】図６は、図５の例示的な実施例のアイコンバッジ表示方法の中のＳ５０１を示すフローチャートである。
【図７】図７は、図５の例示的な実施例のアイコンバッジ表示方法の中のＳ５０１を示すフローチャートである。
【図８】図８は、例示的な一実施例に係るアイコンバッジ表示装置を示すブロック図である。
【図９】図９は、例示的な一実施例に係るアイコンバッジ表示装置の中の取得モジュールを示すブロック図である。
【図１０】図１０は、例示的な一実施例に係るアイコンバッジ表示装置の中の取得モジュールを示すブロック図である。
【図１１】図１１は、例示的な一実施例に係るアイコンバッジ表示装置の中の取得モジュールを示すブロック図である。
【図１２】図１２は、例示的な一実施例に係るアプリケーションのバッジの表示装置を示すブロック図である。
【発明を実施するための形態】
【００３２】
ここで、例示的な実施例を詳細に説明する。また、説明中の例は、図面に示している。以下の記述において、図面を説明する際に特に説明しない場合、異なる図面中の同一の符号は、同一又は同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００３３】
図１は、例示的な一実施例に係るアイコンバッジ表示方法を示すフローチャートである。図１に示したように、上記アイコンバッジ表示方法は、携帯電話、及び、カメラ、タブレットＰＣのような端末機器、又は、アプリケーションの中に適用される。上記方法は、以下のステップＳ１０１-Ｓ１０３を含む。
【００３４】
ステップＳ１０１において、アイコンバッジを生成する際に、アイコンの特徴情報を取得する。上記ステップにおいて、一部のアプリケーションのアイコンは、そのまま、システムのデスクトップ上に位置し、他の一部のアプリケーションのアイコンは、フォルダ中に保存される。このため、アイコンは、アプリケーションのアイコンであってもよいし、アプリケーションのフォルダのアイコンであってもよいし、その他のアイコンであってもよい。従って、アイコンバッジは、アプリケーションのアイコンバッジであってもよいし、アプリケーションのフォルダのアイコンバッジであってもよいし、その他のアイコンバッジであってもよい。ここで、アプリケーションのアイコンは、アプリケーションのショートカットのアイコンであり、アプリケーションのアイコンをダブルクリックすると、アプリケーションが起動される。
【００３５】
ステップＳ１０２において、アイコンの特徴情報に基づいて、バッジの表示要素を特定する。ここで、バッジの表示要素は、バッジの形状、バッジの背景色、バッジ内の文字色、及び、バッジ内の文字のフォントの中の一つ、又は、複数を含んでもよい。又は、バッジの表示要素は、バッジのフレーム色、バッジのフレーム幅、及び、バッジのフレーム形状の中の一つ、又は、複数を、さらに、含んでもよい。
【００３６】
ステップＳ１０３において、アイコンの所定の位置に表示要素を有するバッジを生成して表示する。
【００３７】
上記の実施例によって、アイコンバッジを生成する際に、アイコンの特徴情報に基づいて、バッジの表示要素を特定し、また、アイコンの所定の位置に表示要素を有するバッジを生成して表示する。このようにして、アプリケーション毎に、互いに異なるスタイルに従ってアイコンバッジを表示できて、デスクトップにバッジが過度に多くなった場合のユーザの視覚疲労を緩和した。
【００３８】
図２は、例示的な一実施例に係るアイコンバッジ表示方法を示すフローチャートである。図２に示したように、上記アイコンバッジ表示方法は、携帯電話、及び、カメラ、タブレットＰＣのような端末機器、又は、アプリケーション中に適用される。上記方法は、以下のステップＳ２０１-Ｓ２０４を含む。
【００３９】
ステップＳ２０１において、アイコンバッジを生成する際に、アイコンの特徴情報を取得する。上記ステップにおいて、一部のアプリケーションのアイコンは、そのまま、システムのデスクトップ上に位置し、他の一部のアプリケーションのアイコンは、フォルダ中に保存される。このため、アイコンは、アプリケーションのアイコンであってもよいし、アプリケーションのフォルダのアイコンであってもよいし、その他のアイコンであってもよい。従って、アイコンバッジは、アプリケーションのアイコンバッジであってもよいし、アプリケーションのフォルダのアイコンバッジであってもよいし、その他のアイコンバッジであってもよい。アプリケーションのアイコンは、アプリケーションのショートカットのアイコンであり、アプリケーションのアイコンをダブルクリックすると、アプリケーションが起動される。
【００４０】
ステップＳ２０２において、アイコンの特徴情報に基づいて、バッジの形状、バッジの背景色、バッジ内の文字色、及び、バッジ内の文字のフォントの中の一つ、又は、複数を特定する。即ち、上記ステップにおいて、バッジの表示要素は、バッジの形状、バッジの背景色、バッジ内の文字色、及び、バッジ内の文字のフォントの中の一つ、又は、複数を含んでもよい。
【００４１】
ステップＳ２０３において、アイコンの特徴情報に基づいて、バッジのフレーム色、バッジのフレーム幅、及び、バッジのフレーム形状の中の一つ、又は、複数を特定する。即ち、上記ステップにおいて、バッジの表示要素は、バッジのフレーム色、バッジのフレーム幅、及び、バッジのフレーム形状の中の一つ、又は、複数を、さらに、含んでもよい。
【００４２】
ステップＳ２０４において、アイコンの所定の位置に、上記の表示要素を有するバッジを生成して表示する。上記ステップは、バッジに対して、バッジフレームを生成して表示するステップをさらに含む。即ち、上記のバッジのフレーム色、バッジのフレーム幅、及び／又は、バッジのフレーム形状に基づいて、バッジフレームを生成して表示する。即ち、バッジの背景色が第１色である赤色であると想定すると、アプリケーションのアイコンと仕切らせるために、バッジに対してＮ個の画素幅の第２色である白色を増加させて、バッジのフレームとする。
【００４３】
上記の実施例によって、アイコンと隔離されたバッジフレームを生成して、バッジの表示をもっと明確にすることができる。
【００４４】
図３は、例示的な一実施例に係るアイコンバッジ表示方法を示すフローチャートである。図３に示したように、上記アイコンバッジ表示方法は、携帯電話、及び、カメラ、タブレットＰＣのような端末機器、又は、アプリケーション中に適用される。上記方法は、以下のステップＳ３０１-Ｓ３０３を含む。
【００４５】
ステップＳ３０１において、アイコンバッジを生成する際に、アイコンに対応するアプリケーションの種類を取得する。上記ステップにおいて、アイコンは、アプリケーションのアイコンであってもよいし、アプリケーションのフォルダのアイコンであってもよいし、その他のアイコンであってもよい。従って、アイコンバッジは、アプリケーションのアイコンバッジであってもよいし、アプリケーションのフォルダのアイコンバッジであってもよいし、その他のアイコンバッジであってもよい。
【００４６】
ステップＳ３０２において、所定のアプリケーションの種類と表示要素との対応関係に基づいて、アプリケーションの種類に対応する表示要素を特定する。ここで、バッジの表示要素は、バッジの形状、バッジの背景色、バッジ内の文字色、及び、バッジ内の文字のフォントの中の一つ、又は、複数を含んでもよい。又は、バッジの表示要素は、バッジのフレーム色、バッジのフレーム幅、及び、バッジのフレーム形状の中の一つ、又は、複数を、さらに、含んでもよい。
【００４７】
上記ステップは、以下のステップを含んでもよい。
【００４８】
まず、事前に、アプリケーション、又は、アプリケーションフォルダを分類する。例えば、アプリケーションを、機能によって、動画種類、通信種類、作業種類、等に分類する。ユーザのアプリケーションに対する使用習慣、使用頻度、又は、使用時間帯、等によって、分類してもよい。例えば、作業種類、余暇種類、等に分類してもよい。アプリケーションフォルダの種類は、アプリケーションフォルダに含まれたアプリケーションの種類に基づいて特定してもよい。例えば、アプリケーションフォルダを、動画種類、通信種類、作業種類、等に分類してもよい。ユーザのフォルダ中のアプリケーションに対する使用習慣、使用頻度、又は、使用時間帯、等によって、分類してもよい。例えば、作業種類、余暇種類、等に分類してもよい。
【００４９】
その後、アプリケーションの種類と、バッジ表示要素との間の対応関係を確立する。通信種類のアプリケーションと、表示要素との間の対応関係を確立する場合、通信種類のアプリケーションに対応するバッジの背景色を赤色とし、該当するバッジ内の文字色を黒色とし、該当するバッジ内の文字のフォントを「宋体（Ｔｉｍｅｓ Ｎｅｗ Ｒｏｍａｎ）」としてもよい。バッジの表示要素が、バッジのフレーム色、バッジのフレーム幅、及び、バッジのフレーム形状の中の一つ、又は、複数を含む場合、通信種類のアプリケーションに対応するバッジのフレーム色を白色とし、該当するバッジのフレーム幅を三つの画素とし、該当するバッジのフレーム形状を長方形としてもよい。
【００５０】
その後、所定のアプリケーションの種類と表示要素との対応関係に基づいて、アプリケーションの種類に対応する表示要素を特定する。
【００５１】
ステップＳ３０３において、アイコンの所定の位置に、表示要素を有するバッジを生成して表示する。例えば、現在のアプリケーションの種類が通信種類である場合、表示要素は、バッジの背景色は赤色であり、バッジ内の文字色は黒色であり、バッジ内の文字のフォントは「宋体」であり、バッジのフレーム色は白色であり、バッジのフレーム幅は三つの画素であり、バッジのフレーム形状は長方形であってもよい。上記の表示要素によって、バッジを表示してもよい。
【００５２】
上記の実施例によって、アプリケーションの種類毎に、アプリケーションのバッジに互いに異なる表示スタイルを採用することで、ユーザ体験を改善できる。
【００５３】
図４は、例示的な一実施例に係るアイコンバッジ表示方法を示すフローチャートである。図４に示したように、上記アイコンバッジ表示方法は、携帯電話、及び、カメラ、タブレットＰＣのような端末機器、又は、アプリケーション中に適用される。上記方法は、以下のステップＳ４０１-Ｓ４０３を含む。
【００５４】
ステップＳ４０１において、アイコンバッジを生成する際に、アイコンに対応するアプリケーションの優先度を取得する。上記ステップにおいて、アイコンは、アプリケーションのアイコンであってもよいし、アプリケーションのフォルダのアイコンであってもよいし、その他のアイコンであってもよい。従って、アイコンバッジは、アプリケーションのアイコンバッジであってもよいし、アプリケーションのフォルダのアイコンバッジであってもよいし、その他のアイコンバッジであってもよい。
【００５５】
ステップＳ４０２において、所定のアプリケーションの優先度と表示要素との対応関係に基づいて、アプリケーションの優先度に対応する表示要素を特定する。ここで、バッジの表示要素は、バッジの形状、バッジの背景色、バッジ内の文字色、及び、バッジ内の文字のフォントの中の一つ、又は、複数を含んでもよい。又は、バッジの表示要素は、バッジのフレーム色、バッジのフレーム幅、及び、バッジのフレーム形状の中の一つ、又は、複数を、さらに、含んでもよい。
【００５６】
上記ステップは、以下のステップを含んでもよい。
【００５７】
まず、事前に、アプリケーション、又は、アプリケーションフォルダに対して、互いに異なる優先度を指定する。例えば、ユーザの使用習慣、又は、使用頻度に基づいて、ユーザ最もよく使用する一つ、又は、複数のアプリケーションの優先度を、一番高く指定する。
【００５８】
その後、アプリケーション優先度と、バッジ表示スタイルとの間の対応関係を確立する。例えば、優先度が一番高いアプリケーションと、例えば、第１色である赤色（赤色は他の色より顕著な色である）とに対して、対応関係を確立して（関連付けて）、バッジの背景色とし、優先度が一番高いアプリケーションと、例えば、第２色である黒色とに対して、対応関係を確立して、バッジ内の文字色とし、優先度が一番高いアプリケーションと、例えば、第１形状であるひし形とに対して、対応関係を確立して、バッジの形状とし、優先度が一番高いアプリケーションと、例えば、第１フォントである「宋体」とに対して、対応関係を確立して、バッジ内の文字のフォントとしてもよい。上記ステップは、優先度が一番高いアプリケーションに対応するバッジのフレーム色を灰色とし、該当するバッジのフレーム幅を四つの画素幅とし、該当するバッジのフレーム形状をひし形としてもよい。
【００５９】
その後、所定のアプリケーションの優先度と表示要素との対応関係に基づいて、アプリケーションの優先度に対応する表示要素を特定する。
【００６０】
ステップＳ４０３において、アイコンの所定の位置に、表示要素を有するバッジを生成して表示する。例えば、優先度が一番高いアプリケーションのバッジを生成する場合、第１色を採用してバッジの背景色とし、第２色を採用してバッジ内の文字色とし、例えば、第１形状であるひし形を採用してバッジの形状とし、例えば、第１フォントである「宋体」を採用してバッジ内の文字色としてもよい。上記ステップは、優先度が一番高いアプリケーションのバッジを生成する場合、灰色を採用してバッジのフレーム色とし、バッジのフレーム幅を四つの画素幅とし、バッジのフレーム形状とひし形としてもよい。
【００６１】
上記の実施例によって、アプリケーションの優先度毎に、アプリケーションに対して互いに異なる表示要素を有するバッジを採用する。
【００６２】
図５は、例示的な一実施例に係るアイコンバッジ表示方法を示すフローチャートである。図５に示したように、上記アイコンバッジ表示方法は、携帯電話、及び、カメラ、タブレットＰＣのような端末機器、又は、アプリケーション中に適用される。上記方法は、以下のステップＳ５０１-Ｓ５０３を含む。
【００６３】
ステップＳ５０１において、アイコンバッジを生成する際に、アイコンの色特徴を取得する。上記ステップにおいて、アイコンは、アプリケーションのアイコンであってもよいし、アプリケーションのフォルダのアイコンであってもよいし、その他のアイコンであってもよい。従って、アイコンバッジは、アプリケーションのアイコンバッジであってもよいし、アプリケーションのフォルダのアイコンバッジであってもよいし、その他のアイコンバッジであってもよい。
【００６４】
ステップＳ５０２において、色特徴をバッジの背景色とするか、及び／又は、色特徴をバッジ内の文字色とする。上記実施例において、表示要素は、バッジの背景色、及び／又は、バッジ内の文字色を含んでもよいが、これに限定されない。例えば、出現回数が一番多い色値を代表色として、代表色を上記アプリケーションのバッジベースプレート（背景色）の色として指定する。
【００６５】
ステップＳ５０３において、アイコンの所定の位置に、上記の表示要素を有するバッジを生成して表示する。
【００６６】
上記の実施例によって、アプリケーションのアイコンの画像の色特徴によって、互いに異なるアプリケーションのバッジに対して、互いに異なるバッジ表示スタイルを採用する。
【００６７】
一実施例において、Ｓ５０１は、以下のステップを含む。
【００６８】
アイコンの画像ファイルの全部の画素点の色値の中で出現回数が一番多い色値を取得して、出現回数が一番多い色値をアイコンの色特徴とする。
【００６９】
上記の実施例は、アイコンがアプリケーションアイコンであるケース、即ち、アイコンに対応するアプリケーションがアプリケーションであるケースに適用される。上記実施例において、出現回数が一番多い色値を代表色として、代表色を上記アプリケーションのバッジベースプレート（背景色）の色として指定するか、又は、バッジ内の文字色として指定してもよい。
【００７０】
一実施例において、Ｓ５０１は、以下のステップを含む。
【００７１】
アイコンの画像ファイルの全部の画素点の中の同系色の画素点の色値に対して、平均値を取って、平均値をアイコンの色特徴とする。
【００７２】
上記の実施例は、アイコンがアプリケーションアイコンであるケース、即ち、アイコンに対応するアプリケーションがアプリケーションであるケースに適用される。同系色平均値を取る上記ステップは、アイコンが主にプログレッシブカラー（位置に対して漸進的に変化する色、グラデーションカラー）であるケースに適用される。即ち、同系のプログレッシブカラーが大部の面積を占めるが、プログレッシブ（位置に対して漸進的に変化すること、グラデーション）のため同じ色が出現する画素点の回数より少なく、逆に周辺の同じ色の出現回数一番多いケースに適用される。
【００７３】
一実施例において、アイコンに対応するアプリケーションがアプリケーションフォルダである場合、図６に示したように、Ｓ５０１は、以下のステップを含む。
【００７４】
ステップＡにおいて、アプリケーションフォルダ中の全部のアプリケーションアイコンの全部の画像ファイルを取得する。
【００７５】
ステップＢにおいて、全部の画像ファイルの全部の画素点の色値の中で出現回数が一番多い色値を、アイコンの色特徴とする。
【００７６】
上記の実施例は、アイコンがアプリケーションフォルダのアイコンであるケース、即ち、アイコンに対応するアプリケーションがアプリケーションフォルダであるケースに適用される。上記実施例において、出現回数が一番多い色値を代表色として、代表色を上記アプリケーションのバッジベースプレート（背景色）の色として指定するか、又は、バッジ内の文字色として指定する。
【００７７】
一実施例において、アイコンに対応するアプリケーションがアプリケーションフォルダである場合、図７に示したように、Ｓ５０１は、以下のステップを含む。
【００７８】
ステップＣにおいて、アプリケーションフォルダ中の全部のアプリケーションアイコンの全部の画像ファイルを取得する。
【００７９】
ステップＤにおいて、全部の画像ファイルの全部の画素点の中の同系色の画素点の色値に対して、平均値を取って、平均値をアイコンの色特徴とする。
【００８０】
上記の実施例は、アイコンがアプリケーションフォルダのアイコンであるケース、即ち、アイコンに対応するアプリケーションがアプリケーションフォルダであるケースに適用される。同系色平均値を取る上記ステップは、アイコンが主にプログレッシブカラーであるケースに適用される。即ち、同系のプログレッシブカラーが大部の面積を占めるが、プログレッシブのため同じ色が出現する画素点の回数より少なく、逆に周辺の同じ色の回数一番多いケースに適用される。
【００８１】
以下、本発明の応用ケースを説明する。当該応用ケースは、デスクトップのバッジに対するユーザの視覚疲労を改善できる。本発明の応用ケースにおいて、アプリケーションアイコンの色に基づいて、そのバッジの色を、自動的に変更する。このようにして、デスクトップ全体の方から見ると、デスクトップ上には、単一な色のバッジのみではなく、アプリケーション自身に合致するいろんなバッジ色を採用して、デスクトップにバッジが過度に多くなった場合のユーザの視覚疲労を緩和する。
【００８２】
ＡＰＰ（アプリケーション）のアイコンがそのままデスクトップに表示される場合、上記方法は、以下のステップを含む。
【００８３】
ステップ１において、システムは、アプリケーションにデスクトップ上のｉｃｏｎ（アイコン）に対して、色を取る。システムは、具体的に、上記アプリケーションのデスクトップ上のアイコンの画像ファイルを読み取って、上記画像ファイルの全部の画素点の色値の中で出現回数が一番多い一つの色値を分析し得る。上記色値を、システムが上記アプリケーションのアイコンから色を取った結果（代表色）とする。
【００８４】
ステップ２において、システムは、色を取った結果に基づいて、上記色を上記アプリケーションのバッジのベースプレート色として指定する。同時に、システムは、アプリケーションのアイコンと仕切らせるために、バッジに対して三つの画素幅の白色を増加させて、バッジフレームとする。即ち、バッジに対してアプリケーションアイコン自身の色中の代表色を使用したため、バッジをもっと顕著にするために、バッジの周りにフレームを増加して仕切らせる。
【００８５】
当該応用ケースは、以下の有益な効果を果たす。
【００８６】
当該応用ケースは、現在の携帯電話のオペレーティング・システム中に単一なバッジ色しかない問題に対して、デスクトップのバッジが引き起こした視覚疲労、及び、そのため引き起こした通知効率が低い問題を改善して、ユーザの使用体験を改善した。
【００８７】
また、当該応用ケースは、現在のデスクトップ中の単調なバッジ色を最適化する。アプリケーションの特徴に基づいて、互いに異なる色のバッジを提供して、ユーザの視覚疲労を改善し、通知効率を高めて、ユーザの使用体験を改善した。
【００８８】
図８は、例示的な一実施例に係るアイコンバッジ表示装置である。
【００８９】
当該装置は、
アイコンバッジを生成する際に、アイコンの特徴情報を取得するための取得モジュール８１と、
アイコンの特徴情報に基づいて、バッジの表示要素を特定するための特定モジュール８２と、
アイコンの所定の位置に表示要素を有するバッジを生成して表示するための表示モジュール８３と
を備える。
【００９０】
取得モジュール８１は、アイコンバッジを生成する際に、アイコンに対応するアプリケーションの種類を取得し、
特定モジュール８２は、所定のアプリケーションの種類と表示要素との対応関係に基づいて、アプリケーションの種類に対応する表示要素を特定する。
【００９１】
一実施例において、取得モジュール８１は、アイコンバッジを生成する際に、アイコンに対応するアプリケーションの優先度を取得する。 
特定モジュール８２は、所定のアプリケーションの優先度と表示要素との対応関係に基づいて、アプリケーションの優先度に対応する表示要素を特定する。
【００９２】
一実施例において、取得モジュール８１は、アイコンバッジを生成する際に、アイコンの色特徴を取得する。
【００９３】
特定モジュール８２は、色特徴をバッジの背景色とするか、及び／又は、色特徴をバッジ内の文字色とする。
【００９４】
一実施例において、図９に示したように、取得モジュール８１は、
アイコンバッジを生成する際に、アイコンの画像ファイルの全部の画素点の色値の中で出現回数が一番多い色値を取得して、出現回数が一番多い色値をアイコンの色特徴とするための第１色特徴取得サブモジュール８１１を備える。
【００９５】
一実施例において、図９に示したように、取得モジュール８１は、
アイコンバッジを生成する際に、アイコンの画像ファイルの全部の画素点の中の同系色の画素点の色値に対して、平均値を取って、平均値をアイコンの色特徴とするための第２色特徴取得サブモジュール８１２を備える。
【００９６】
一実施例において、アイコンに対応するアプリケーションがアプリケーションフォルダである場合、図１０に示したように、取得モジュール８１は、
アイコンバッジを生成する際に、アプリケーションフォルダ中の全部のアプリケーションアイコンの全部の画像ファイルを取得するための第１画像取得サブモジュール８１３と、
全部の画像ファイルの全部の画素点の色値の中で出現回数が一番多い色値を、アイコンの色特徴とするための第３色特徴取得サブモジュール８１４と
を備える。
【００９７】
一実施例において、アイコンに対応するアプリケーションがアプリケーションフォルダであると、図１１に示したように、取得モジュール８１は、
アイコンバッジを生成する際に、アプリケーションフォルダ中の全部のアプリケーションアイコンの全部の画像ファイルを取得するための第２画像取得サブモジュール８１５と、
全部の画像ファイルの全部の画素点の中の同系色の画素点の色値に対して、平均値を取って、平均値をアイコンの色特徴とするための第４色特徴取得サブモジュール８１６と
を備える。
【００９８】
特定モジュール８２は、
アイコンの特徴情報に基づいて、バッジの形状、バッジの背景色、バッジ内の文字色、及び、バッジ内の文字のフォントの中の一つ、又は、複数を特定する。
【００９９】
表示モジュール８３は、さらに、バッジに対して、バッジフレームを生成して表示する。
【０１００】
上記の実施例の装置について、その各モジュールが実行する操作の具体的な形態は既に当該方法に関する実施例において詳細に説明したため、ここでは詳細に説明しない。
【０１０１】
図１２は、例示的な一実施例に係るアプリケーションバッジ表示装置１２００を示すブロック図である。例えば、装置１２００は、携帯電話、コンピュータ、デジタル放送端末、メッセージ送受信デバイス、ゲームコンソール、タブレットデバイス、医療機器、フィットネス機器、パーソナルデジタルアシスタント等であってもよい。
【０１０２】
図１２を参照して、装置１２００は、プロセスアセンブリ１２０２、メモリ１２０４、電源アセンブリ１２０６、マルチメディアアセンブリ１２０８、オーディオアセンブリ１２１０、入出力（Ｉ／Ｏ）インターフェイス１２１２、センサアセンブリ１２１４、及び通信アセンブリ１２１６のような一つ以上のアセンブリを含んでよい。
【０１０３】
プロセスアセンブリ１２０２は、一般的には装置１２００の全体の動作を制御するものであり、例えば、表示、電話呼び出し、データ通信、カメラ動作、及び記録動作と関連する動作を制御する。プロセスアセンブリ１２０２は、一つ以上のプロセッサ１２２０を含み、これらによって命令を実行することにより、上記の方法の全部、又は一部のステップを実現するようにしてもよい。なお、プロセスアセンブリ１２０２は、一つ以上のモジュールを含み、これらによってプロセスアセンブリ１２０２と他のアセンブリの間のインタラクションを容易にするようにしてもよい。例えば、プロセスアセンブリ１２０２は、マルチメディアモジュールを含み、これらによってマルチメディアアセンブリ１２０８とプロセスアセンブリ１２０２の間のインタラクションを容易にするようにしてもよい。
【０１０４】
メモリ１２０４は、各種類のデータを記憶することにより装置１２００の動作を支援するように構成される。これらのデータの例は、装置１２００において動作するいずれのアプリケーションプログラム又は方法の命令、連絡対象データ、電話帳データ、メッセージ、画像、ビデオ等を含む。メモリ１２０４は、いずれの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、又は光ディスクである。
【０１０５】
電源アセンブリ１２０６は、装置１２００の多様なアセンブリに電力を供給する。電源アセンブリ１２０６は、電源管理システム、一つ以上の電源、及び装置１２００のための電力の生成、管理及び割り当てに関連付けられている他のアセンブリを含んでもよい。
【０１０６】
マルチメディアアセンブリ１２０８は、前記装置１２００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スワイプ、及びタッチパネル上のジェスチャを検出することができる。前記タッチセンサは、タッチ、又はスワイプの動作の境界だけでなく、前記のタッチ、又はスワイプ操作に係る継続時間及び圧力も検出できる。上記の実施例において、マルチメディアアセンブリ１２０８は、一つのフロントカメラ、及び／又はリアカメラを含む。装置１２００が、例えば撮影モード、又はビデオモード等の動作モードにある場合、フロントカメラ、及び／又はリアカメラは外部からマルチメディアデータを受信できる。フロントカメラとリアカメラのそれぞれは、一つの固定型の光レンズ系、又は可変焦点距離と光学ズーム機能を有するものであってもよい。
【０１０７】
オーディオアセンブリ１２１０は、オーディオ信号を入出力するように構成されてもよい。例えば、オーディオアセンブリ１２１０は、一つのマイク（ＭＩＣ）を含み、装置１２００が、例えば呼出しモード、記録モード、及び音声認識モード等の動作モードにある場合、マイクは外部のオーディオ信号を受信することができる。受信されたオーディオ信号は、さらにメモリ１２０４に記憶されたり、通信アセンブリ１２１６を介して送信されたりされる。上記の実施例において、オーディオアセンブリ１２１０は、オーディオ信号を出力するための一つのスピーカーをさらに含む。
【０１０８】
Ｉ／Ｏインターフェイス１２１２は、プロセスアセンブリ１２０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、作動ボタン、ロッキングボタンを含んでもよいが、これらに限定されない。
【０１０９】
センサアセンブリ１２１４は、装置１２００に各種の状態に対する評価を提供するための一つ以上のセンサを含む。例えば、センサアセンブリ１２１４は、装置１２００のＯＮ／ＯＦＦ状態、装置１２００のディスプレイとキーパッドのようなアセンブリの相対的な位置決めを検出できる。また、例えば、センサアセンブリ１２１４は、装置１２００、又は装置１２００の一つのアセンブリの位置変更、ユーザと装置１２００とが接触しているか否か、装置１２００の方位、又は加速／減速、装置１２００の温度の変化を検出できる。センサアセンブリ１２１４は、何れの物理的接触がない状態にて付近の物体の存在を検出するための近接センサを含んでもよい。センサアセンブリ１２１４は、撮影アプリケーションに適用するため、ＣＭＯＳ、又はＣＣＤ画像センサのような光センサを含んでもよい。上記の実施例において、当該センサアセンブリ１２１４は、加速度センサ、ジャイロスコープセンサ、磁気センサ、圧力センサ、及び温度センサをさらに含んでもよい。
【０１１０】
通信アセンブリ１２１６は、装置１２００と他の機器の間に有線、又は利便性のよい形態の通信を提供する。装置１２００は、例えばＷｉＦｉ（登録商標）、２Ｇ、３Ｇ、又はこれらの組み合わせのような、通信規格に基づいた無線ネットワークに接続されてもよい。一つの例示的な実施例において、通信アセンブリ１２１６は、放送チャンネルを介して外部の放送管理システムからの放送信号、又は放送に関連する情報を受信する。一つの例示的な実施例において、前記通信アセンブリ１２１６は、近距離無線通信（ＮＦＣ）モジュールをさらに含むことにより、近距離通信を可能にする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、他の技術に基づいて実現できる。
【０１１１】
例示的な実施例において、装置１２００は、一つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１１２】
例示的な実施例において、さらに、アプリケーションのバッジの表示装置を提供する。
【０１１３】
当該装置は、
プロセッサと、
前記プロセッサが実行可能な命令を記憶するためのメモリと
を備え、
前記プロセッサは、
アイコンバッジを生成する際に、上記アイコンの特徴情報を取得し、
上記アイコンの特徴情報に基づいて、上記バッジの表示要素を特定し、
上記アイコンの所定の位置に、上記表示要素を有する上記バッジを生成して表示するように構成される。
【０１１４】
例示的な実施例において、さらに、命令を含むコンピュータ読取り可能な非一時的な記録媒体、例えば命令を含むメモリ１２０４を提供しており、装置１２００のプロセッサ１２２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク（登録商標）、光データ記憶デバイス等である。
【０１１５】
コンピュータ読取り可能な非一時的な記録媒体は、当該記録媒体中の命令が移動端末のプロセッサによって実行される際に、移動端末に、アプリケーションバッジ表示方法を実行させる。
【０１１６】
上記方法は、
アイコンバッジを生成する際に、上記アイコンの特徴情報を取得するステップと、
上記アイコンの特徴情報に基づいて、上記バッジの表示要素を特定するステップと、
上記アイコンの所定の位置に、上記表示要素を有する上記バッジを生成して表示するステップと
を含む。
【０１１７】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
【０１１８】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。
【０１１９】
本願は、出願番号がＣＮ２０１５１０４４１３２７.７であって、出願日が２０１５年７月２４日である中国特許出願に基づいて優先権を主張し、当該中国特許出願のすべての内容を援用する。